(57)【要約】  【課題】直流給電を行うに際して、停電が発生した場合に、効率的に給電処理を行うことができることを目的とする。  【解決手段】通信装置４００へ電力を供給する商用電源が停電している場合に、制御部３０１は、通信装置４００に対して電力供給を行っている太陽光発電装置２００の出力電圧に基づいた電圧に基づいて、蓄電池３０４に対する充電量を調整する。これにより、太陽光発電装置２００に余剰電力が生まれる場合には、蓄電池３０４に充電することができ、余剰電力を効率的に用いることができる。【選択図】  図３
2017108558.tif 000002
【特許請求の範囲】
【請求項１】
太陽光を受けることにより発電を行う太陽光発電装置と、前記太陽光発電装置からの電力供給を受けて蓄電する蓄電池と、前記太陽光発電装置または前記蓄電池から電力供給を受ける電力消費対象とを含んだ直流電源システムにおいて、
前記電力消費対象へ電力を供給する商用電源が停電している場合に、前記電力消費対象に対して電力供給を行っている前記太陽光発電装置の出力電圧に基づいて電圧を測定する電圧測定手段と、
前記測定手段により測定された電圧に基づいて、前記蓄電池に対する充電量を調整する制御手段と、
を備える直流電源システム。
【請求項２】
前記直流電源システムは、前記蓄電池と前記電力消費対象との間を流れる電流を測定する電流測定手段をさらに備え、
前記制御手段は、前記電流測定手段により測定された電流にさらに基づいて、前記蓄電池に対する充電量を調整する、請求項１に記載の直流電源システム。
【請求項３】
前記制御手段は、前記電圧測定手段によって測定された電圧が閾値を超えており、且つ前記電流測定手段によって測定された電流が、蓄電池が充電していることを示す場合、前記蓄電池に対する充電量を増加させる、請求項２に記載の直流電源システム。
【請求項４】
前記直流電源システムは、前記商用電源の停電を検知する停電センサを含む整流器をさらに備え、
前記電圧測定手段は、前記停電センサにより停電していることが検知された場合に、前記電圧を測定する、請求項１〜３の何れか一項に記載の直流電源システム。
【発明の詳細な説明】
【技術分野】
【０００１】
本発明は、直流電力の制御を行う直流電源システムに関する。
【背景技術】
【０００２】
近年、太陽光発電等の自然エネルギーの利用が注目される中で、様々な施設、住宅等に太陽光発電装置が設置されることが多くなってきている。この太陽光発電装置は、発電した電力を設備、機器等に供給するとともに、蓄電池に充電することができる。
【０００３】
ところで、一般的に太陽光発電装置が発電した直流の電力は、パワーコンディショナーによって交流に変換されて利用されているものがほとんどである。
【０００４】
この場合、災害などの停電時には、太陽光発電装置が発電した直流の電力は通信装置に供給されないことになる。災害時の電源確保の観点から停電時でも発電電力を通信装置に供給するために、直流電源システムが注目されつつある。例えば、特許文献１には、出力電圧を変化させることにより、蓄電池の充放電を制御する整流器を備える直流電源システムが記載されている。
【先行技術文献】
【特許文献】
【０００５】
【特許文献１】特開２０１４−４２４１７号公報
【発明の概要】
【発明が解決しようとする課題】
【０００６】
太陽光発電装置にパワーコンディショナーを用いる場合は、発電電力が設備の負荷を上回る場合には系統に逆潮流するなどして有効に活用することができる。しかし、この直流給電システムにおいては、太陽光発電装置の発電量が設備の負荷を上回る場合、余剰電力は熱として放出されるため、有効に活用することができない、という問題が生じる。特に、災害などの停電時に上記余剰電力を有効に活用することの検討はあまり進んでいない。
【０００７】
そこで、上述の課題を解決するために、直流給電を行うに際して、停電が発生した場合に、効率的に給電処理を行うことができる直流電源システムを提供することを目的とする。
【課題を解決するための手段】
【０００８】
上述の課題を解決するために、本発明の直流電源システムは、太陽光を受けることにより発電を行う太陽光発電装置と、太陽光発電装置からの電力供給を受けて蓄電する蓄電池と、太陽光発電装置または蓄電池から電力供給を受ける電力消費対象とを含んだ直流電源システムにおいて、電力消費対象へ電力を供給する商用電源が停電している場合に、電力消費対象に対して電力供給を行っている太陽光発電装置の出力電圧に基づいて電圧を測定する電圧測定手段と、測定手段により測定された電圧に基づいて、前記蓄電池に対する充電量を調整する制御手段と、を備える。
【０００９】
この発明によれば、電力消費対象へ電力を供給する商用電源が停電している場合に、電力消費対象に対して電力供給を行っている太陽光発電装置の出力電圧に基づき測定された電圧に基づいて、蓄電池に対する充電量を調整する。これにより、太陽光発電装置に余剰電力が生まれる場合には、蓄電池に充電することができ、余剰電力を効率的に用いることができる。
【００１０】
また、この直流電源システムにおいて、蓄電池と電力消費対象との間を流れる電流を測定する電流測定手段をさらに備え、制御手段は、電流測定手段により測定された電流にさらに基づいて、蓄電池に対する充電量を調整する。
【００１１】
この発明によれば、当該電流に基づいて、充電量を調整するので、例えば、雲の通過などによる急激な発電量が低下していることを特定することができ、充電量を適切に調整することができる。
【００１２】
また、この直流電源システムにおいて、制御手段は、電圧測定手段によって測定された電圧が閾値を超えており、且つ電流測定手段によって測定された電流が、蓄電池が充電していることを示す場合、蓄電池に対する充電量を増加させる。このように、電圧に基づいて余剰電力が発生しているとみなせるときには、蓄電池の充電電力量を初期値から一定量増加させていくことで、余剰電力を有効に活用することができる。
【００１３】
また、この直流電源システムは、商用電源の停電を検知する停電センサを含む整流器をさらに備え、電圧測定手段は、停電センサにより停電していることが検知された場合に、電圧を測定する。
【００１４】
この場合、停電センサにより停電が継続していることを特定した後に測定した電圧に基づいて、充電電流値を調整するので、余剰電力が発生しているとみなせるときに充電電流値を調整することができる。
【発明の効果】
【００１５】
本発明によれば、直流給電を行うに際して、停電が発生した場合に、効率的に給電処理を行うことができる。
【図面の簡単な説明】
【００１６】
【図１】直流電源システムの概要を示すシステム構成図である。
【図２】太陽光発電装置２００における発電状況及び電力バス電圧との関係の推移を示した図である。
【図３】電池部３００の機能構成を示すブロック図である。
【図４】制御部３０１のハードウェア構成を示す図である。
【図５】本実施形態における制御部３０１の動作を示すフローチャートである。
【図６】本実施形態におけるサービス確保時間を示す図である。
【発明を実施するための形態】
【００１７】
添付図面を参照しながら本発明の実施形態を説明する。可能な場合には、同一の部分には同一の符号を付して、重複する説明を省略する。
【００１８】
図１を参照して従来の無線基地局の直流電源システム１０の概要について説明する。図１は、直流電源システムの概要を示すシステム構成図である。図１に示すように、この直流電源システム１０は、整流器１００、太陽光発電装置２００、電池部３００、整流器、及び通信装置４００（負荷）を含んで構成される。
【００１９】
整流器１００は、商用電源５００から供給される交流電流を直流電流に変換する装置である。
【００２０】
太陽光発電装置２００は、太陽光を受けることにより発電を行う装置である。この太陽光発電装置２００は、４８Ｖバスに直接接続されており、太陽光発電装置２００の発電電力は優先的に通信装置４００に供給される。
【００２１】
電池部３００は、充放電を行うことができる蓄電池を含む。当該蓄電池は、太陽光発電装置２００や、整流器１００を介して商用電源５００からの電力供給を受けることで、充電を行うことができる。また、商用電源５００が停電している場合、太陽光発電装置２００を介して電力供給を受けることで、充電を行うことができる。すなわち、上記の蓄電池は、太陽光発電装置２００からの電力供給を受けて蓄電する。また、電池部３００の蓄電池は、商用電源５００が停電している場合、通信装置４００へ電力供給する。
【００２２】
通信装置４００は、商用電源５００、太陽光発電装置２００、及び電池部３００の蓄電池の何れかから電力供給を受けて、通信機能を実行する装置であり、いわゆる電力を消費する負荷部分（電力消費対象）である。本実施形態においては、通信装置４００は、無線基地局における無線通信を実行するための機能を有するが、これに限定するものではない。
【００２３】
このような直流電源システム１０において、商用電源５００が停電した場合に、太陽光発電装置２００が、通信装置４００の消費電力以上の発電を行うとき、電池部３００から通信装置４００に電力が供給されなくなるため、バス電圧は太陽光発電装置２００の出力電圧となる。このバス電圧の変動を検知することで、太陽光発電装置２００の余剰電力の有無を知ることができる。
【００２４】
この根拠について試験グラフを用いて説明する。図２は、太陽光発電装置２００における発電状況と電力バス電圧との関係を示した図である。
【００２５】
図２に示される通り、太陽光発電装置２００の発電状況（出力電流）と電池部３００内におけるバス電圧との間には、相関関係があると認められる。例えば、朝の７時ぐらいから太陽により照射が始まり、太陽光発電装置２００における出力電流が上昇する。そして、太陽光発電装置２００が日陰部分にあった時刻である１２時半ぐらいから１４時半ぐらいまでその出力電流は低下しつつも、日陰部分を脱すると、再度出力電流は上昇し、そのピーク後日没まで出力電流は徐々に低下する。
【００２６】
一方で、図２において、電池部３００内における電力バスの電圧は、この太陽光発電装置２００の出力電流と相関するようにその波形を描いていることが分かる。本実施形態においては、商用電源５００からの電力供給を受けていることから、常時電力バスには約５１Ｖ程度の電圧がかかっているが、太陽光発電装置２００の発電動作が始まると、そのバス電圧は上昇し、５３Ｖから５４Ｖとの間で一定した電圧がかかっていることが分かる。
【００２７】
ここで、太陽光発電装置２００により発電される発電電力は、通信装置４００において消費される消費電力（負荷）より高い場合には、余剰電力が発生することになる。本実施形態においては、図２に示される太陽光発電装置２００の発電状況と電池部３００のバス電圧との関係からわかるように、電池部３００内のバス電圧を計測することにより、太陽光発電装置２００の発電電力量を把握し、余剰電力の有無について判断することができる。そして、その余剰電力については、電池部３００の蓄電池に対して充電するように制御することにより、太陽光発電装置２００による発電電力を効率的に使用することができる。具体的には、電池部３００内の蓄電池に対する充電電流値を変動させる、という制御を行う。
【００２８】
つぎに、本実施形態の整流器１００及び電池部３００の機能構成について説明する。図３は、整流器１００及び電池部３００の機能構成を示すブロック図である。図３に示される通り、整流器１００は、停電センサ１０１（停電センサ）及び整流部１０２を含んで構成されている。
【００２９】
停電センサ１０１は、商用電源５００の停電を検知する部分である。停電センサ１０１は、検出した結果を電池部３００へ入力する。具体的に、停電センサ１０１は、商用電源５００が停電中であれば、「ＯＮ」信号を電池部３００へ入力し、商用電源５００が停電中でなければ、「ＯＦＦ」信号を電池部３００へ入力する。
【００３０】
整流部１０２は、商用電源５００から供給される交流電流を直流電流に変換する部分であり、整流部１０２に接続される４８Ｖバスに、変換された直流電流を出力する。
【００３１】
続いて、電池部３００の具体的構成の説明をする。電池部３００は、制御部３０１（制御手段）と、蓄電池３０４とを含んで構成されている。
【００３２】
制御部３０１は、具体的には、ＢＭＳ（Battery  Management  System）であり、蓄電池３０４の状態を監視及び制御する部分である。制御部３０１は、電流／電圧センサ３０２（電流測定手段、電圧測定手段）と、スイッチ部３０３とを含んで構成されている。電流／電圧センサ３０２は、電池部３００と、通信装置４００とを結ぶバスに流れる直流電流（蓄電池３０４と通信装置４００との間を流れる電流）の電流を測定する部分である。また、電流／電圧センサ３０２は、電池部３００と、通信装置４００とを結ぶバスに流れる直流電流の電圧を測定する部分でもある。
【００３３】
制御部３０１は、電流／電圧センサ３０２により測定された電流及び電圧に基づいて、蓄電池３０４に対する充電量を上昇する、または減少する制御を行う。すなわち、制御部３０１は、電流／電圧センサ３０２により測定された電流及び電圧に基づいて、後述のようにして、蓄電池３０４に対する充電量を調整する。なお、制御部３０１は、予め初期値の充電量、現状の充電量、及び変動分の値（上昇又は減少させる値）である変動値（例えば、０．１Ａ）を記憶している。
【００３４】
ここで、図４を参照して、制御部３０１のハードウェア構成について説明する。図４に示されるように、制御部３０１は、物理的には、１または複数のＣＰＵ（Central  Processing  unit）３１、主記憶装置であるＲＡＭ（Random  Access  Memory）３２及びＲＯＭ（Read  Only  Memory)３３、データ送受信デバイスである通信モジュール３４、半導体メモリなどの補助記憶装置３５、操作盤（操作ボタンを含む）やタッチパネルなどのユーザの入力を受け付ける入力装置３６、ディスプレイなどの出力装置３７などのハードウェアを備えるコンピュータとして構成される。
【００３５】
制御部３０１の機能は、たとえば、ＣＰＵ３１、ＲＡＭ３２などのハードウェア上に１または複数の所定のコンピュータソフトウェア（プログラム）を読み込ませることにより、ＣＰＵ３１の制御のもとで通信モジュール３４、入力装置３６、出力装置３７、を動作させるとともに、ＲＡＭ３２、ＲＯＭ３３、及び補助記憶装置３５におけるデータの読み出し及び書き込みを行うことで実現することができる。
【００３６】
スイッチ部３０３は、蓄電池３０４と、太陽光発電装置２００との間のバスに配置されており、停電時において蓄電池３０４の放電を制御するために、その接続のオンオフを行うことにより、蓄電池３０４との接続制御を行う部分である。蓄電池３０４は、充放電を行うことができる蓄電池である。
【００３７】
このように構成された電池部３００において、その充電制御を行う制御部３０１について、さらに説明する。
【００３８】
制御部３０１は、電流／電圧センサ３０２により測定された電圧の値が予め記憶している規定電圧値（停電電圧値）以下である場合に、商用電源５００が停電であることを検出する。制御部３０１は、商用電源５００が停電であることを検出した場合、スイッチ部３０３を動作させて蓄電池３０４を放電させる。
【００３９】
制御部３０１は、停電センサ１０１から入力された信号に基づいて、停電が継続しているか否かを判断する。制御部３０１は、停電センサ１０１から入力された信号が「ＯＮ」である場合、停電が継続していると判断する。また、制御部３０１は、停電センサ１０１から入力された信号が「ＯＦＦ」である場合、停電していない（停電継続していない）と判断する。
【００４０】
制御部３０１は、停電継続していないと判断した場合、スイッチ部３０３を動作させて、停電放電を停止する。一方、制御部３０１は、停電継続していると判断した場合、電流／電圧センサ３０２により測定された電流及び電圧を取得する。すなわち、停電センサ１０１により停電していることが検知された場合に、電圧及び電流を測定する。
【００４１】
制御部３０１は、取得した電流値が予め記憶している電流規定値以上である場合（電池状態が停電放電である場合）において、蓄電池３０４に対する充電量を調整する。例えば、太陽光発電装置２００が、通信装置４００が消費する電力（負荷）以上に発電を行い、且つ充電中であるときに、制御部３０１は、充電量を段階的に微小量増加する。具体的に、制御部３０１は、現在の充電量に、変動値を加算した値を新たな充電量とする。このように、制御部３０１は、通信装置４００が消費する電力量（負荷）以上に発電を行っており、且つ電流が、蓄電池３０４が充電していることを示す場合、蓄電池３０４に対する充電量を増加させる。この充電量を増加させる条件に合致している限り、制御部３０１は、所定の制御間隔で繰り返す。なお、増加させる充電量を一定としてもよいし、可変としてもよい。
【００４２】
ここで、「通信装置４００が消費する電力量（負荷）以上に発電を行うとき」とは、電池部３００内部の電圧が太陽光発電装置２００の出力電圧に依存することを利用して、電池部３００内の電流／電圧センサ３０２により測定された電圧が太陽光発電装置２００の出力電圧に依存しているとみなせる電圧閾値を超えるとき、とする。
【００４３】
また、制御部３０１は、太陽光発電装置２００が、通信装置４００が消費する電力（負荷）以上に発電を行い、且つ充電中ではないときに、充電量を初期値に変更する。例えば、晴れの日であっても雲など一時的な影により、太陽光発電装置２００による発電量が急激に低下することがある。この場合、制御部３０１は、通信装置４００への電力供給が途切れないようにすぐさま充電状態から放電状態に切り替える。このように、制御部３０１は、充電状態から停電放電に切り替える際には、充電電流値を初期値にリセットすることで、急激な発電量の変化に対応させる。
【００４４】
また、制御部３０１は、取得した電流値が予め記憶している規定値以上である場合において、太陽光発電装置２００が、通信装置４００が消費する電力（負荷）以上に発電していないとき、充電中でなければ、充電電力量を一定量減少させる。上述のように、充電量を繰り返し増加させた結果、理想的な環境において、充電量と、通信装置４００への供給電力量の合計が太陽光発電装置２００による発電電力と拮抗する。この結果、バス電圧が、通信装置４００が消費する電力（負荷）以上に発電していないことを示すことになる。これを検出して、制御部３０１は、充電量を減少させる。なお、減少させる量は、一定でもよいし、可変でもよい。
【００４５】
つぎに、このように構成された電池部３００の制御部３０１の動作について説明する。図５は、本実施形態の電池部３００の動作を示すフローチャートである。前提として、制御部３０１が、商用電源５００の停電を検出したものとする。
【００４６】
まず、制御部３０１は、スイッチ部３０３を動作させ、停電放電させる（ステップＳ１）。制御部３０１により、停電が継続しているか否か判断される（ステップＳ２）。停電継続している場合（ステップＳ２：ＹＥＳ）、制御部３０１は、電流／電圧センサ３０２を介して、バス電圧、電流を取得する（ステップＳ３）。
【００４７】
制御部３０１は、電池状態が停電放電であるか否かを電流に基づいて判断する（ステップＳ４）。停電放電である場合（ステップＳ４：ＹＥＳ）、ステップＳ２へ進む。また、制御部３０１は、電池状態が停電放電ではない場合（ステップＳ４：ＮＯ）、バス電圧が出力電圧に依存しているとみなせる閾値を超えるか否かを判断する（ステップＳ５）。
【００４８】
バス電圧が上記閾値を超えない場合（ステップＳ５：ＮＯ）、制御部３０１は、電流／電圧センサ３０２により測定された結果に基づいて充電中か否かを判断する（ステップＳ６）。充電中でなければ（ステップＳ６：ＮＯ）、ステップＳ３へ移動する。充電中であれば、制御部３０１は、現状の充電値から変動値分減算した値を新たな充電電流値とする（ステップＳ７）。制御部３０１は、充電電流値を当該新たな充電電流値として充電を行う（ステップＳ８）。
【００４９】
ステップＳ５において、バス電圧が上記閾値を超える場合（ステップＳ５：ＹＥＳ）、ステップＳ６と同様に充電中か否かを判断する（ステップＳ９）。充電中でなければ（ステップＳ９：ＮＯ）、制御部３０１は、新充電電流値を初期値として（ステップＳ１０）、ステップＳ８へ進む。また、充電中であれば（ステップＳ９：ＹＥＳ）、制御部３０１は、現在の充電値に変動値を加算したものを新充電電流値とし（ステップＳ１１）、ステップＳ８へ進む。
【００５０】
ステップＳ２において、停電継続中でないと判断した場合（ステップＳ２：ＮＯ）、制御部３０１は、スイッチ部３０３を動作させて、停電放電を停止し（ステップＳ１２）、復電させて（ステップＳ１３）、処理を終了する。
【００５１】
このフローチャートによる処理結果を、図６により示されるグラフを参照して説明する。縦軸が充電率を示し、横軸が時間を示す。グラフＧ１は、従来の直流電源システムによる充電率を示し、グラフＧ２は、本実施形態に係る直流電源システム１０の充電率を示すグラフを示す。
【００５２】
従来の直流電源システムにおいては、太陽光発電装置の発電量が設備の負荷を上回る場合、余剰電力は熱として放出されるため、グラフＧ１に示すように、災害発生後（停電後）、充電率が増えることなく減る。
【００５３】
一方、本実施形態に係る直流電源システム１０でも、夜間（例えば、期間ｔ１）は、太陽光発電装置２００の発電量が設備の負荷を上回ることがないため、蓄電池３０４の充電率が下がる。しかし、晴れの状態（例えば、期間ｔ２）には、直流電源システム１０は、余剰電力を利用して段階的に充電量を増やすので、段階的に充電率を上げることができる。また、曇りのち晴れの状態（例えば、期間ｔ３）には、余剰電力がほとんどないので、直流電源システム１０は、期間ｔ２の場合と比較して緩やかに充電率を上げるように制御する。例えば、直流電源システム１０は、充電量を減少させるように制御する。
【００５４】
無線基地局において、災害などにより商用電源５００が停電の時でも太陽光発電装置２００の発電量を最大限に活用して通信装置４００に供給することが可能となる。具体的には、晴れの日の日中には発電電力を通信装置４００に供給しつつ、余剰電力を蓄電池３０４に充電することでサービス確保時間の延命が可能となる。また、蓄電池３０４が枯渇してからも、発電電力を通信装置４００に供給しつつ、余剰電力を蓄電池３０４に充電することで復活運転が可能となる。また、充放電制御を環境や天候に依らず一意に定めることで、充放電制御のための外部情報である日射計など新たなハードウェアの追加を必要とせず、コストを低く抑えることができる。
【００５５】
余剰電力の発生時、すなわち太陽光発電装置２００の発電電力のみですべての負荷を賄っているときには、バス電圧は太陽光発電装置２００の出力電圧に影響される。電流／電圧センサ３０２でバス電圧を読み込み、余剰電力が発生しているとみなせるときには、蓄電池３０４の充電電力量を制御周期ごとに初期値から一定量増加させていくことで、余剰電力を活用することが可能である。余剰電力を蓄電池３０４に充電する制御を災害時に適用するためには、余剰電力の充電を実施するとともに、余剰電力以上の電力を充電することによる通信装置４００への供給電力の喪失を防ぐ必要がある。通常時の余剰電力の充電制御では余剰電力以上の電力を充電する場合、超過分について整流器１００から電力が供給されるが、停電時では整流器１００からの電力供給は望めない。そのため停電時では余剰電力以上の電力を充電しないため、充電電力量の制御周期を小刻みにすること、そして充電電力量の増加量を微少量に設けることが求められる。
【００５６】
停電時の余剰電力の充電制御では、余剰電力以上の電力を充電しないために、太陽光発電装置２００の発電電力が充電電力量と通信装置４００の負荷の和と拮抗するときにより多くの電流量を取り出すために太陽光発電装置２００の出力電圧がわずかに減少して所定のバス電圧閾値を下回ることを利用している。所定のバス電圧閾値を下回るときには、制御部３０１は、充電電力量を一定量減少させる。制御間隔が長すぎる場合には発電量の変化に十分追従できないためにこの拮抗状態に至らない可能性があり、また増加電流値が十分大きい場合も拮抗状態に至らず停電時の余剰電力の充電を実現することができない。
【００５７】
上述の実施形態では、電池部３００が、電流センサ及び電圧センサを備えるものであったが、電池部３００の外部に電流センサ及び電圧を備えるようにしてもよい。
【００５８】
上述の実施形態では、直流電源システムにおいて停電時に太陽光発電装置２００の余剰電力を有効活用するというものであったが、無線基地局に限定しなくてもよい。
【００５９】
上述の実施形態では、バス電圧の監視により余剰電力発生の有無を検出するものであったが、ＰＶ出力電流により余剰電力発生の有無を検出するものであってもよい。例えば、理想的な環境ではＰＶ出力電流が電池の充電と負荷の合計と等しい場合、余剰電力が発生していると判断し、電池部３００の出力電流がゼロの場合は余剰電力が発生していると判断する。
【００６０】
上述の実施形態において、制御部３０１は、停電センサ１０１による検出結果に基づいて、商用電源５００の停電が継続しているか否かを判断する場合について述べた。これに代えて、電流／電圧センサ３０２によって測定された電流と電圧に基づいて商用電源５００の停電が継続しているか否かを判断するようにしてもよい。例えば、電流／電圧センサ３０２によって測定された電流が規定値（放電していないとみなせる値）以下であり、且つ電流／電圧センサ３０２によって測定された電圧が、整流器出力電圧に依存するバス電圧である場合に、商用電源５００の停電が継続していないと判断するようにしてもよい。
【００６１】
これは、蓄電池３０４と整流器１００と太陽光発電装置２００とのそれぞれの出力電圧が、「蓄電池出力電圧≦整流器出力電圧＜太陽光発電装置出力電圧」を満たすため、上記のように判断することができる。整流器１００が蓄電池３０４を満充電にできるように、「蓄電池出力電圧≦整流器出力電圧」の関係にある。また、太陽光発電装置２００が、整流器１００（商用電力）より優先して通信装置４００に電力を供給できるように、「整流器出力電圧＜太陽光発電装置出力電圧」の関係にある。
【００６２】
つぎに、本実施形態の直流電源システム１０の作用効果について説明する。
【００６３】
本実施形態の直流電源システムにおいて、通信装置４００へ電力を供給する商用電源が停電している場合に、制御部３０１は、通信装置４００に対して電力供給を行っている太陽光発電装置２００の出力電圧に基づき測定された電圧に基づいて、蓄電池３０４に対する充電量を調整する。これにより、太陽光発電装置２００に余剰電力が生まれる場合には、蓄電池３０４に充電することができ、余剰電力を効率的に用いることができる。
【００６４】
より具体的には、制御部３０１は、電流／電圧センサ３０２によって測定された電流に基づいて、充電量を調整する。例えば、これにより、制御部３０１は、雲の通過などによる急激な発電量が低下していることを特定することができ、充電量を適切に調整することができる。
【００６５】
また、制御部３０１は、電圧に基づいて余剰電力が発生しているとみなせるときには、蓄電池の充電電力量を初期値から一定量増加させていくので、余剰電力を有効に活用することができる。
【００６６】
また、制御部３０１は、停電センサ１０１により停電が継続していることを特定した後に測定した電圧に基づいて、充電電流値を調整するので、余剰電力が発生しているとみなせるときに充電電流値を調整することができる。
【符号の説明】
【００６７】
１０…直流電源システム、３１…ＣＰＵ、３２…ＲＡＭ、３３…ＲＯＭ、３４…通信モジュール、３５…補助記憶装置、３６…入力装置、３７…出力装置、１００…整流器、２００…太陽光発電装置、３００…電池部、３０１…制御部、３０２…電流／電圧センサ、３０３…スイッチ部、３０４…蓄電池、４００…通信装置。
【図１】
2017108558.tif 000003
【図２】
2017108558.tif 000004
【図３】
2017108558.tif 000005
【図４】
2017108558.tif 000006
【図５】
2017108558.tif 000007
【図６】
2017108558.tif 000008